(57)【要約】【課題】鍋の容器本体の開口周縁部に係止することができるお玉であって、そのようにして容器本体の開口周縁部に係止していても、鍋の蓋を容器本体に安定して被せることができるお玉を提供すること。【解決手段】グリップの先端に柄を介してお玉本体を連設したお玉において、グリップの先端部を、柄の伸延方向に対して傾斜状の端面と、同端面の一側端を伸延して形成した押さえ片と、同押さえ片の反対側の端面に形成した係合片とより構成した。【選択図】          図２
2004321311.tif 000002
【特許請求の範囲】
【請求項１】
グリップの先端に柄を介してお玉本体を連設したお玉において、
グリップの先端部を、柄の伸延方向に対して傾斜状の端面と、同端面の一側端を伸延して形成した押さえ片と、同押さえ片の反対側の端面に形成した係合片とより構成したことを特徴とするお玉。
【請求項２】
前記押さえ片は、傾斜状の端面に貼着した金属板よりなることを特徴とする請求項１記載のお玉。
【請求項３】
前記係合片の外側面は、手でグリップを把持した場合の親指当接部とすることを特徴とする請求項１又は２記載のお玉。
【請求項４】
前記押さえ片と係合片との対面角度は、略直角或いは鈍角としたことを特徴とする請求項１〜３のいずれか１項に記載のお玉。
【発明の詳細な説明】
【０００１】
【発明の属する技術分野】
本発明は、調理道具であるお玉に関するものである。
【０００２】
【従来の技術】
従来のお玉は、グリップの先端に柄を介して椀状のお玉本体を連設した構成となっており、グリップや柄の部分に係止部がなかった。そのため、鍋の容器本体の中にお玉を立て掛けようとしても、同お玉のグリップや柄が容器本体の開口周縁部をスライドして、お玉が容器本体の中にずり落ちてしまっていた。
【０００３】
しかも、容器本体の中にお玉を立て掛けたままの状態で蓋をしようとすれば、容器本体と蓋との間にお玉が介在することとなり、蓋を完全に閉めることができず、蓋が容器本体から簡単にずれてしまっていた。
【０００４】
そこで、グリップや柄の中途部に鉤状の係合部を設けて、同係合部を鍋の開口周縁部に係合することにより、鍋の中へ落ち込むのを防止したお玉が提案されている（例えば、特許文献１〜３。）。
【０００５】
【特許文献１】
実開平５−９１５３７号公報
【０００６】
【特許文献２】
実開平７−３５４２号公報
【０００７】
【特許文献３】
実公平８−３９号公報
【０００８】
【発明が解決しようとする課題】
しかし、上記係合部を設けたお玉は、単にグリップや柄の中途部に係合部を設けただけであったため、容器本体の中へお玉が落ち込むのを防止することはできるものの、容器本体にお玉を係止したまま蓋を閉じようとすると、従来通り容器本体と蓋との間にお玉が介在することとなって、蓋が容器本体から簡単にずれてしまっていた。
【０００９】
【課題を解決するための手段】
そこで、本発明では、グリップの先端に柄を介してお玉本体を連設したお玉において、グリップの先端部を、柄の伸延方向に対して傾斜状の端面と、同端面の一側端を伸延して形成した押さえ片と、同押さえ片の反対側の端面に形成した係合片とより構成することにした。
【００１０】
また、本発明は、以下の点にも特徴を有するものである。
（１）前記押さえ片は、傾斜状の端面に貼着した金属板よりなること。
（２）前記係合片の外側面は、手でグリップを把持した場合の親指当接部とすること。
（３）前記押さえ片と係合片との対面角度は、略直角或いは鈍角としたこと。
【００１１】
【発明の実施の形態】
本発明は、グリップの先端に柄を介してお玉本体を連設したお玉であり、前記グリップの先端部を、柄の伸延方向に対して傾斜状の端面と、同端面の一側端を伸延して形成した押さえ片と、同押さえ片の反対側の端面に形成した係合片とより構成している。
【００１２】
このように、グリップの先端部の端面に係合片を設けているので、同係合片を鍋の容器本体の開口周縁部に係合してお玉を容器本体の開口周縁部に係止することができ、お玉が容器本体の中に落ち込むのを防止することができる。
【００１３】
しかも、上記係合片を設けたグリップの先端部の端面には、係合片を設けた側とは反対側に伸延する押さえ片を設けているので、上述の如く係合片を鍋の容器本体の開口周縁部に係合した際には押さえ片が鍋の内側へと伸延することとなり、容器本体に蓋を載置したとしても前記押さえ片で蓋を上方から押さえることができ、蓋が容器本体からずれるのを防止することができる。
【００１４】
なお、係合片を容器本体の開口周縁部に係合させて、押さえ片で蓋を押さえるのが通常の使用形態であるが、逆に、押さえ片を容器本体の開口周縁部に係合させて、係合片で蓋を押さえることも可能である。
【００１５】
上記押さえ片は、傾斜状の端面に貼着した金属板より形成することができ、このように金属板を端面に貼着して押さえ片とすれば、鍋の容器本体や蓋との接触により磨耗しやすく耐熱性を要求される押さえ片を、簡単且つ頑丈に設けることができる。
【００１６】
また、前記係合片の外側面は、手でグリップを把持した場合の親指当接部とすることができ、このように係合片の外側面を親指当接部として利用することにより、例えば高齢者のように握力の弱い人であっても前記係合片の外側面に親指を押し当てながらグリップを把持して、手を滑らせることなく確実にグリップを把持することができる。
【００１７】
なお、上述のように係合片の外側面を親指当接部として利用する場合には、係合片をお玉本体に対向させるのが望ましい。かかる構成とすれば、手でグリップを把持した際の親指の向きとお玉本体の向きとが同方向となって、より円滑にお玉を使用することができる。
【００１８】
また、前記押さえ片と係合片との対面角度は、略直角或いは鈍角とするのが望ましく、かかる角度とすれば、鍋において容器本体の周面と蓋の上面とによって形成される角度が９０度以上となる場合にも、その容器本体及び蓋に対応して係合片を容器本体の開口周縁部に係合しつつ押さえ片により蓋を押さえることができ、お玉を多種多様な形状の鍋において円滑に使用することができる。
【００１９】
【実施例】
以下、本発明に係るお玉の一実施例を図面に基づき説明する。
【００２０】
図１に示すように、本実施例におけるお玉Ａは、杆状のグリップ１と、同グリップ１の先端に基端を連設した杆状の柄２と、同柄２の先端に連設した椀状のお玉本体３とからなる。
【００２１】
上記グリップ１と柄２とは、同一仮想直線上に位置するように一体的に形成しており、お玉本体３は、その開口面４が前記柄２やグリップ１と鈍角を成すように柄２に取り付けている。特に、本実施例では、前記グリップ１を合成樹脂製とし、柄２とお玉本体３とをステンレス等の金属製としている。
【００２２】
次に、上述したお玉Ａにおけるグリップ１の先端部５（以下、グリップ先端部５という）の形状について詳説する。
【００２３】
グリップ先端部５は、柄２の伸延方向に対して傾斜状の端面６と、同端面６のお玉本体３とは対向しない一側端を伸延して形成した押さえ片７と、同押さえ片７の反対側であってお玉本体３と対向する端面６に形成した係合片８とからなる。
【００２４】
グリップ先端部５の端面６は、係合片８を形成する側（お玉本体３と対向する側）が柄２に対して鈍角となるように傾斜させている。このように、柄２とグリップ先端部５の端面６との成す角度θ１を係合片８側に鈍角としているので、後述するようにお玉Ａを鍋Ｂの容器本体Ｂ１に係止した際に、お玉本体３を容器本体Ｂ１の周面から引き離すことができ、お玉Ａを円滑且つ確実に容器本体Ｂ１に係止することができる。
【００２５】
押さえ片７は、上記グリップ先端部５の傾斜状の端面６にお玉本体３や柄２と同じステンレス等の金属からなる金属板９を貼着することにより形成しており、その先端は、お玉本体３を設けた側とは反対方向へと前記端面６から伸出させている。
【００２６】
係合片８は、グリップ先端部５のお玉本体３と対向する一側端を、グリップ先端部５の端面６に対して鈍角となるようにお玉本体３に向かって突出させることにより形成している。このように係合片８とグリップ先端部５の端面６との成す角度θ２を鈍角としたので、係合片８と前記押さえ片７との対面角度θ２も鈍角とすることができる。
【００２７】
この係合片８と押さえ片７との対面角度θ２は、鍋Ｂの容器本体Ｂ１の周面と、容器本体Ｂ１に載置した蓋Ｂ３の上面との成す角度θ３に対応する角度である。従って、両角度がほぼ等しくなるように係合片８を突設することにより、後述するようにお玉Ａを容器本体Ｂ１に係止した状態で蓋Ｂ３を閉じた際に、押さえ片７を蓋Ｂ３の上面に沿わせて蓋Ｂ３を確実に押さえることができる。
【００２８】
また、上記係合片８は、その外側面をグリップ１と一体に湾曲させて、手でグリップ１を把持した場合の親指当接部１０としている。
【００２９】
上述した構成からなるお玉Ａを鍋Ｂの容器本体Ｂ１に係止する場合には、図２に示すように、係合片８を容器本体Ｂ１の開口周縁部に形成された外方折返し縁部Ｂ２に係合することにより簡単に容器本体Ｂ１に係止することができる。しかも、そのようにしてお玉Ａを係止した状態の容器本体Ｂ１に蓋Ｂ３を載置する場合には、押さえ片７を蓋Ｂ３の上面に沿わせて、蓋Ｂ３がずれないように押さえることができる。
【００３０】
或いは、図３に示すように、押さえ片７を容器本体Ｂ１の外方折返し縁部Ｂ２に係合することによりお玉Ａを容器本体Ｂ１に係止することもできる。しかも、そのようにしてお玉Ａを係止した状態の容器本体Ｂ１に蓋Ｂ３を載置する場合には、係合片８を蓋Ｂ３の突縁部Ｂ４に係合させて、蓋Ｂ３がずれないように押さえることができる。
【００３１】
このように、本実施例では、お玉Ａを係止したままの容器本体Ｂ１にずれることなく蓋Ｂ３を載置することができ、しかも、前述したように容器本体Ｂ１や蓋Ｂ３と接触して熱が伝わりやすいグリップ先端部５の端面６に押さえ片７を形成するための金属板９を貼着してグリップ１の耐熱性を高めているので、お玉Ａを係止したままであっても鍋Ｂで煮炊きすることができる。
【００３２】
なお、図４に示すように、押さえ片７の柄２側の面に突部１１を設けておけば、お玉Ａを係止した状態の容器本体Ｂ１に蓋Ｂ３を載置する際に、前記突部１１を蓋Ｂ３の突縁部Ｂ４に係止することができ、突部１１と柄２とで蓋Ｂ３の突縁部Ｂ４を挟むことができる。従って、蓋Ｂ３をよりずれにくくすることができる。
【００３３】
さらに、本実施例では、係合片８の外側面を親指当接部１０としているので、図５に示すように、お玉Ａを持つ際には、親指当接部１０に親指ｐを押し当てながらグリップ１を把持することができ、お玉Ａを使用する際に安定して作業することができる。
【００３４】
【発明の効果】
本発明は上記のような形態で実施されるもので、以下の効果を奏する。
（１）請求項１記載の本発明では、グリップの先端に柄を介してお玉本体を連設したお玉において、グリップの先端部を、柄の伸延方向に対して傾斜状の端面と、同端面の一側端を伸延して形成した押さえ片と、同押さえ片の反対側の端面に形成した係合片とより構成したので、係合片を鍋の容器本体の開口周縁部に係合してお玉を鍋の容器本体に係止することができると共に、そのようなお玉を係止した状態の容器本体に鍋の蓋を載置する際には、押さえ片で蓋を上方から押さえて、蓋が容器本体からずれるのを防止することができる。
（２）請求項２記載の本発明では、前記押さえ片は、傾斜状の端面に貼着した金属板よりなることにしたので、鍋との接触により磨耗しやすく、しかも、耐熱性を要求される押さえ片を、簡単且つ頑丈に設けることができる。
（３）請求項３記載の本発明では、前記係合片の外側面は、手でグリップを把持した場合の親指当接部としたので、例えば高齢者のように握力の弱い人であっても前記係合片の外側面に親指を押し当てながらグリップを把持して、手を滑らせることなく確実にグリップを把持することができる。
（４）請求項４記載の本発明では、前記押さえ片と係合片との対面角度は、略直角或いは鈍角としたので、鍋において容器本体の周面と蓋の上面とによって形成される角度が９０度以上となる場合にも、その容器本体や蓋の形状に対応して係合片を容器本体の開口周縁部に係合しつつ押さえ片により蓋を押さえることができる。従って、お玉を多種多様な形状の鍋において円滑に使用することができる。
【図面の簡単な説明】
【図１】本発明に係るお玉の一実施例の側面図である。
【図２】同使用状態を示す説明図である。
【図３】同使用状態を示す説明図である。
【図４】押さえ片の他実施例を示す説明図である。
【図５】本発明に係るお玉の一実施例の使用状態を示す説明図である。
【符号の説明】
Ａ  お玉
１  グリップ
２  柄
３  お玉本体
４  開口面
５  グリップ先端部
６  端面
７  押さえ片
８  係合片
９  金属板
１０  親指当接部
１１  突部
Ｂ  鍋
Ｂ１  容器本体
Ｂ２  外方折返し縁部
Ｂ３  蓋
Ｂ４  突縁部
ｐ  親指
【図１】
2004321311.tif 000003
【図２】
2004321311.tif 000004
【図３】
2004321311.tif 000005
【図４】
2004321311.tif 000006
【図５】
2004321311.tif 000007